(57)【要約】      （修正有）【課題】コンパクトな収納状態で持ち運ぶことが出来、かつ、使用状態と収納状態への切り替えが瞬時に片手で行えるタモ網を提供する。【解決手段】伸縮自在に構成した振出式の複数の柄の最先端に固定されたメスネジ１−１ａへオフセット部材のオスネジを螺合し、固着する。オフセット部材２の孔には網枠６と網枠固定具３が固定軸２ｂによって、旋回自在に勘着されている。網枠固定具３の円筒形状外周部には網枠固定具３の外周を摺動する移動体とこれを前記オフセット部材２の固定軸方向へ付勢する付勢部材５があり、前記網枠６が前記柄の先端よりも前方側に配置された使用状態と、後方に配置された収納状態との間を前記網枠６が回動可能なように、構成したタモ網において、前記オフセット部材２の固定孔と固定軸２ｂはオフセット方向に対して９０度の方向へ配置されており、前記網枠固定具３と網枠６は柄に対して上下方向に旋回する。【選択図】図２
0003147293.tif 000002
【実用新案登録請求の範囲】
【請求項１】
伸縮自在に構成した振出式の複数の柄と，柄の先端に接着固定されたメスネジを有する金具と、これにねじ込み固着されるオスネジと、柄の軸心に対してオフセットした軸心に固定軸を有するオフセット部材と、前記、オフセット部材の固定軸を中心に旋回する網枠固定具と、網枠と、タモ網からなり、前記、網枠固定具の円筒形状外周部には網枠固定具の外周を摺動する移動体と、これを前記オフセット部材の固定軸方向へ付勢する付勢部材があり、前記網枠が前記柄の先端よりも前方側に配置された使用状態と、後方に配置された収納状態との間を前記網枠が回動可能なように構成したタモ網において、前記オフセット部材の固定軸中心に対して，その外周縁が柄の後方の収納状態では僅かな直線部を有するため、網枠は停止状態にあるものの、僅かな力で旋回し、前方の使用状態ではその外周縁は大きく切欠きされた直線状であり、移動体がこの直線部へ付勢部材の付勢力によって圧接されることによって、網枠は旋回不能となり、これらの中間域の外周縁は同心円状であるため、網枠は抵抗なく、旋回可能であり、前記オフセット部材の固定軸はオフセット方向に対して９０度の方向へ配置されており、前記網枠固定具と網枠は柄に対して上下方向に旋回することを特徴とするタモ網。
【請求項２】
伸縮自在に構成した振出式の複数の柄と，柄の先端に接着固定されたメスネジを有する金具と、これにねじ込み固着されるオスネジと、柄の軸心に対してオフセットした軸心に固定軸を有するオフセット部材と、前記、オフセット部材の固定軸を中心に旋回する網枠固定具と、網枠と、タモ網からなり、前記、網枠固定具の円筒形状外周部には網枠固定具の外周を摺動する移動体と、これを前記オフセット部材の固定軸方向へ付勢する付勢部材があり、前記網枠が前記柄の先端よりも前方側に配置された使用状態と、後方に配置された収納状態との間を前記網枠が回動可能なように構成したタモ網において、前記オフセット部材の固定軸中心に対して，その外周縁が柄の後方の収納状態では僅かな直線部を有するため、網枠は停止状態にあるものの、僅かな力で旋回し、前方の使用状態ではその外周縁は大きく切欠きされた直線状であり、移動体がこの直線部へ付勢部材の付勢力によって圧接されることによって、網枠は旋回不能となり、これらの中間域の外周縁は同心円状であるため、網枠は抵抗なく、旋回可能であり、前記オフセット部材の固定軸はオフセット方向に対して平行な方向へ配置されており、前記網枠固定具と網枠は柄に対して左右方向に旋回することを特徴とするタモ網。
【考案の詳細な説明】
【技術分野】
【０００１】      釣に使用されるタモ網に関する。
【背景技術】
【０００２】      一般に、タモ網は、柄と、この柄の先端に設けられる網枠と、この網枠に装着される網とからなる基本構成を有しており、実用新案登録第０９０６８４号（以下「先行技術１」という）では網枠を柄の後方へ折り畳んで、背中へ保持したり、竿袋へ収納しておき、使用時は一瞬の操作で網、網枠を旋回させ、使用状態にすることが提案されている。
しかしながら、固定スリーブを自然落下させるという行為は、非常に不安定で、確実性に乏しい。更に、収納する時は、固定スリーブを元の位置へ移動するためには両手を使用する必要があり、固定スリーブの内面へ海水の塩分が付着して連結機構と噛り付いたりする恐れがある。又、部品点数が多く、回転部分が多いため、塩分で固着する恐れがある。固定スリーブが網枠側継手のテーパー状部へ外嵌めされ、直線状に姿勢を維持する構造であるが、固定スリーブの前方側端部には網の中に入った魚の重量がテコの原理によって数倍の加重として作用するため、拡径され、亀裂が入り、破壊する恐れがある。
柄と網枠は直線状であり、魚を掬う場合に網枠の姿勢が安定しにくい。【０００３】      特開２００１−２９９１４５号（以下「先行技術２」という）では、網枠を使用状態と収納状態へ切り替えることは出来るが、回動規制手段はプランジャと操作リングと圧縮コイルスプリングとから構成されており、収納状態から使用状態へ切り替えるには▲１▼操作リングを上方へ引き上げてプランジャを上方へ移動させ、▲２▼雌継手をボルトを中心として回動させ、雌継手の先端を柄の前方へ向ける。▲３▼この状態で操作リングの引き上げを解除するとプランジャは圧縮コイルスプリングの作用によって、下方に押し下げられ、プランジャの下端部が雌継手における筒状部材の凹部に係合することによって、使用状態になる。これらの動作には両手が必要であり、時間が掛かる。圧縮コイルスプリングとプランジャはブラケットの空洞部にほぼ、密閉された構造となっており、塩水の浸入によって、固着し動かなくなる恐れがあり、保守管理も困難である。
【考案の開示】
【考案が解決しようとする課題】
【０００４】      コンパクトな収納状態で持ち運ぶことが出来、かつ、使用状態と収納状態への切り替えが瞬時に片手で行えるタモ網を提供する。
【課題を解決するための手段】
【０００５】      図１、図２に示すように、伸縮自在に構成した振出式の複数の柄１の最先端１−１に固定されたメスネジ１−１ａへ図３に示すオフセット部材のオスネジ２ａを螺合し、固着する。オフセット部材２の孔２ｇには図８に示す網枠６と図４に示す網枠固定具３が図７に示す固定軸２ｂによって、旋回自在に勘着されている。前記、網枠固定具３の円筒形状外周部には網枠固定具３の外周を摺動する図６に示す移動体４とこれを前記オフセット部材２の固定軸方向へ付勢する図５に示す付勢部材５があり、前記網枠６が前記柄の先端１−１よりも前方側に配置された使用状態と、後方に配置された収納状態との間を前記網枠６が回動可能なように、構成したタモ網において、請求項１の考案は図３に示すように、前記オフセット部材２の固定孔２ｇと固定軸２ｂはオフセット方向に対して９０度の方向へ配置されており、図２に示すように、前記網枠固定具３と網枠６は柄１に対して上下方向に旋回する。請求項２の考案は図１２に示すオフセット部材８の固定孔８ｇと図７に示す固定軸８ｂはオフセット方向に対して平行な方向へ配置されており、図１１に示す網枠固定具３と網枠６は柄１に対して左右方向に旋回することを可能とする。
【考案の効果】
【０００６】      本考案のタモ網によれば、柄の軸心と網枠の軸心がオフセットしているために、使用時の操作性が向上し、収納状態から使用状態への切り替えが柄を振るという瞬時の１動作で行え、使用状態から収納状態への切り替えも片手で瞬時に操作できるという利点を有する。更に、部品点数が少なく、簡便な構造であるため、保守管理も容易であり、経済的であるため、釣り人へ安価な価格で提供できる。
【考案を実施するための最良の形態】
【０００７】      以下、図１乃至図１２に基づき、この考案の実施形態を説明する。図１、図２に示すように、本考案のタモ網は、伸縮自在の振出式に構成された複数のテーパー状の柄（１−１から１−ｎ）からなる柄１と最先端の柄１−１に強固に接着固定されたメスネジを有する金具１−１ａに図３に示すオスネジ２ａを螺合、固着したオフセット部材２とその孔２ｇに圧入固定された図７に示す固定軸２ｂとこの固定軸２ｂを中心に旋回する図４に示す網枠固定具３と網枠固定具３の外周を摺動状態で移動する図６に示す移動体４とこの移動体４をオフセット部材２の固定軸２ｂの方向へ常時付勢する網枠固定具３の圧縮コイルバネ勘着用溝３ａへ一端が装着され、他端が移動体４の装着用溝４ｂへ装着された図５に示す付勢材５と網枠固定具３のメスネジ３ｂへ螺合することによって固定されるオスネジ６ｉを有する図８に示す網枠６とそれに装着される図１、図２に示す網７からなる。【０００８】      図３、図４、図５、図６、図７に示すように、網枠固定具３へ付勢材５と移動体４を装着した後に、オフセット部材２の左右１対の孔２ｇ、２ｇの位置と網枠固定具３の孔３ｃ、３ｃの位置が一致する状態に組み込んだ状態で、固定軸２ｂが圧入される。網枠固定具３は固定軸２ｂを中心に旋回自在である。オフセット部材２と固定軸２ｂ（市販品の通称ロールピン）は固定軸２ｂの拡径力によって強固に固定された状態となり、脱落する怖れは無く、必要によっては、金属丸棒とハンマーで固定軸２ｂを抜き取り、分解、掃除、注油をすることが出来る。付勢材５は移動体４と網枠固定具によって完全に被覆される必要は無い。海水などが、付勢材５の隙間へ入り込んでも洗浄出来る様に、開口している方が良い。【０００９】      図２、図１１に示すように、オフセット部材２、８の柄１に螺合されるオスネジ２ａ，８ａの軸心と網枠固定具３が旋回自在に固定される軸心は網７、網枠６が収納状態にある時、柄１と干渉しない様にオフセットされている。図３、図１２に示すように、オフセット部材２、８の１対の板状体２ｆ、２ｆ、８ｆ、８ｆの周縁の後端は小さく切り欠きされた直線部２ｃ、８ｃとなっており、網枠が収納状態の位置にある時に、移動体がこの僅かな直線部２ｃ、８ｃを軽く圧接するため網枠６の旋回を小さい力で規制する。【００１０】      図３、図１２に示すように、僅かな直線部２ｃ、８ｃに続く前方の周縁下部２ｅ，８ｅはオフセット部材２、８の固定軸２ｂ、８ｂと同心円形状となっており、移動体４の平面４ｃと１対の板状体２ｆ、２ｆ、８ｆ、８ｆとの接触部は線状であり、網枠は抵抗無く旋回することが出来る。１対の板状体の周縁前方は大きく切り欠きされた直線部２ｄ、８ｄとなっている。移動体４はこの部分ではその固定軸方向の平面４ｃ全体が１対の板状体２ｆ、２ｆ、８ｆ、８ｆの直線部２ｄ、８ｄの全面へ付勢材５によって圧接されることになり、タモ網は使用可能な状態となる。この状態では、網７の中央部へ大きな加重（魚の重量）が掛かったとしても網枠固定具３が固定軸２ｂ、８ｂを中心に旋回することは不可能である。【００１１】      図８に示す網枠６は、網枠６の平面に対して、平行に旋回する連結ピン６ｅ、６ｆと垂直方向に旋回可能な連結ピン６ｇと雌雄勘合部６ｈ、６ｊとオスネジ６ｉとそれらと固定連結された枠部材６ａ、６ｂ、６ｃ、６ｄによって構成されている。網枠６を半分に畳むには、雌雄勘合部６ｈ，６ｉ、６ｊの勘合状態を解き、連結ピン６ｇを中心に網枠６の平面と垂直方向へ旋回させればよい。更に、１／４の状態に折り畳むには、連結ピン６ｅ、６ｆを中心に網枠６の平面に対して水平方向へ旋回させると図９の状態になる。
網枠６を組み立てて使用出来る状態にするには、上記の逆の操作を行えばよい。【００１２】      本考案のタモ網の使用方法を説明する。釣場へ到着したら、タモ網、柄１を移動用竿袋から取り出し、半分又は１／４に折り畳まれた網７、網枠６を組立てて円形にし、網枠固定具３のメスネジ３ｂへ網枠６のオスネジ６ｉを螺合し固定する。網７、網枠６はオフセット部材２の後方にあり、釣の邪魔にならないコンパクトな収納状態である。
釣人が魚を掛け、タモ網で掬おうとする時、釣人はタモ網の柄１の元端の柄１−ｎを持ち、上下に振ると網７、網枠６はその慣性力によって、前方へ旋回し、移動体４はオフセット部材２の前面の大きな直線部２ｄを圧接した状態で停止することによって、タモ網は瞬時に使用状態になる。【００１３】      釣人は網７、網枠６を魚の方へ向かって前傾させると複数のテーパー状の振出式の柄１−１から１−ｎは自然に伸長し、網７、網枠６は魚がいる場所へ到達する。
網７、網枠６の軸心が柄１の軸心からオフセットしているため、自然に網７、網枠６は水平状態を保つため魚を掬い易い。魚を掬い取ると、釣人は複数の柄１を元から順次収納して魚を捕獲する。【００１４】      釣人はタモ網の柄１を片手で持ち、その手の親指で図６に示す移動体４のＲ形状部４ａを前方へ押すと、移動体４のオフセット部材２の１対の板状体２ｆ、２ｆに圧接していた平面４ｃが離合するため、網枠固定具３は固定軸２ｂを中心に下方へ旋回して、垂下する。釣人が柄１を垂直に立てると網７、網枠６は収納状態位置までその自重によって旋回し、これらの一連の瞬時の動作によって、収納状態となる。【００１５】      上記の使用方法は請求項１の上下に旋回する方式について述べたが、請求項２においても同様であり、ただ、網７、網枠６の柄１に対する旋回方向が左右であることのみが異なる。
【図面の簡単な説明】
【００１６】
【図１】  第１の実施形態の左側面図、平面図
【図２】  第１の実施形態の側面図
【図３】  第１の実施形態のオフセット部材の平面図、正面図、左右側面図
【図４】  第１、第２の実施形態の網枠固定具の平面図、一部縦断正面図、左右側面図
【図５】  第１、第２の実施形態の圧縮コイルバネの概略図
【図６】  第１、第２の実施形態の移動体の正面図、一部縦断側面図
【図７】  第１、第２の実施形態の固定軸の概略図
【図８】  第１、第２の実施形態の網枠を組立、展開した状態
【図９】  第１、第２の実施形態の網枠を１／４に折り畳んだ状態
【図１０】  第２の実施形態の左側面図、平面図
【図１１】  第２の実施形態の正面図
【図１２】  第２の実施形態のオフセット部材の平面図、正面図、左右側面図
【符号の説明】
【００１７】１                        柄
１−１ａ                  メスネジを有する金具
１−１                    最先端の柄
２、８                    請求項１のオフセット部材
２ａ                      オスネジ
２ｂ、８ｂ                請求項１、２のオフセット部材の固定軸
２ｃ                      小さく切り欠きされた僅かな直線部
２ｄ                      大きく切り欠きされた直線部
２ｅ                      固定軸と同心円状の周縁部
２ｆ                      オフセット部材の１対の板状部材
２ｇ                      オフセット部材の固定軸が圧入される孔
３                        網枠固定具
３ａ                      圧縮コイルバネ装着用溝
３ｂ                      網枠固着用メスネジ
３ｃ                      固定軸勘合孔
４                        移動体
４ａ                      親指で押す曲面
４ｂ                      圧縮コイルバネ装着用溝
４ｃ                      オフセット部材に当接する平面
５                        付勢材（圧縮コイルバネ）
６                        網枠
６ａ、６ｂ、６ｃ、６ｄ    網枠部材
６ｅ、６ｆ                網枠に垂直な連結ピン
６ｇ                      網枠に平行な連結ピン
６ｈ、６ｉ                ６ｊと雌雄勘合し、網枠固定具のメスネジへ螺合し、網枠を                          固定する金具
６ｊ                      ６ｈ，６ｉと雌雄勘合する金具
７                        網
８                        請求項２のオフセット部材
８ａ                      オスネジ
８ｃ                      小さく切り欠きされた僅かな直線部
８ｄ                      大きく切り欠きされた直線部
８ｅ                      固定軸と同心円状の周縁部
８ｆ                      オフセット部材の１対の板状部材
８ｇ                      オフセット部材の固定軸が圧入される孔
【図１】
0003147293.tif 000003
【図２】
0003147293.tif 000004
【図３】
0003147293.tif 000005
【図４】
0003147293.tif 000006
【図５】
0003147293.tif 000007
【図６】
0003147293.tif 000008
【図７】
0003147293.tif 000009
【図８】
0003147293.tif 000010
【図９】
0003147293.tif 000011
【図１０】
0003147293.tif 000012
【図１１】
0003147293.tif 000013
【図１２】
0003147293.tif 000014